(57)【要約】【課題】家具の上方に耐震装置やスペースが見えずして、体裁を良くでき、しかも、それを家具の本来の構成を使用して達成できると共に、家具上方のスペースを別の収納スペースとして使用するのに都合良くできるようにする。【解決手段】家具本体５の上方に位置する耐震装置１４、並びに家具本体５の上面部５ａと家屋の家具置き場１の天井部４との間のスペースＳ1が、扉１１の、家具本体５の上面部より上方に大きく形成した部分１１ａで隠されて見えないようにした。又、それを家具の本来の構成である扉１１を使用して達成できると共に、扉１１の開け閉めにより、スペースＳ1を別の収納スペースとして使用するのに都合良くできる。【選択図】図１
2008110019.tif 000002
【特許請求の範囲】
【請求項１】
前面に開口部を有する家具本体と、
この家具本体の上部の左右両端部から上方へ設けられ、先端部が家屋の家具置き場の天井部に圧接して前記家具本体の転倒を防止する耐震装置とを具備し、
前記家具本体の開口部を開閉する扉を、家具本体の上面部より上方に大きく形成して、該扉により、前記耐震装置並びに前記家具本体の上面部と家屋の家具置き場の天井部との間のスペースを前方より覆い隠すようにしたことを特徴とする耐震装置付き家具。
【請求項２】
前面に開口部を有する家具本体と、
この家具本体の側部の上下両端部から側方へ設けられ、先端部が家屋の家具置き場の側壁面又は他の家具の側面部に圧接して前記家具本体の転倒を防止する耐震装置とを具備し、
前記家具本体の開口部を開閉する扉を、家具本体の側面部より側方に大きく形成して、該扉により、前記耐震装置並びに前記家具本体の側面部と家屋の家具置き場の側壁面又は他の家具の側面部との間のスペースを前方より覆い隠すようにしたことを特徴とする耐震装置付き家具。
【発明の詳細な説明】
【技術分野】
【０００１】
本発明は、家具本体が耐震装置を具えた耐震装置付き家具に関する。
【背景技術】
【０００２】
従来より、家具の耐震装置として、一般に、既製品の家具の上面部から家屋の家具置き場の天井部へ、又は同家具の側面部から家屋の家具置き場の側壁面や他の家具の側面部へ、それぞれ突っ張るように介在されて家具の転倒を防止するものが供されている（例えば特許文献１参照）。
【特許文献１】実用新案登録第３０２１１３６号公報（図１）
【発明の開示】
【発明が解決しようとする課題】
【０００３】
しかしながら、上述のものでは、家具の上方や側方に耐震装置が見え、体裁が良くない。又、家具の上面部から家屋の家具置き場の天井部までのスペースや、家具の側面部から家屋の家具置き場の側壁面又は他の家具の側面部までのスペースもそれぞれあいて見え、体裁が良くない。
【０００４】
本発明は上述の事情に鑑みてなされたものであり、従ってその目的は、第１に、家具の上方に耐震装置が見えず、又、家具の上面部から家屋の家具置き場の天井部までのスペースも見えずして、体裁を良くでき、しかも、それを家具の本来の構成を使用して達成できると共に、家具の上面部から家屋の家具置き場の天井部までのスペースを別の収納スペースとして使用するのに都合良くできる耐震装置付き家具を提供するにある。
【０００５】
本発明の目的は、第２に、家具の側方に耐震装置が見えず、又、家具の側面部から家屋の家具置き場の側壁面又は他の家具の側面部までのスペースも見えずして、体裁を良くでき、しかも、それを家具の本来の構成を使用して達成できると共に、家具の側面部から家屋の家具置き場の側壁面又は他の家具の側面部までのスペースを別の収納スペースとして使用するのに都合良くできる耐震装置付き家具を提供するにある。
【課題を解決するための手段】
【０００６】
上記目的を達成するために、本発明の耐震装置付き家具は、第１に、前面に開口部を有する家具本体と、この家具本体の上部の左右両端部から上方へ設けられ、先端部が家屋の家具置き場の天井部に圧接して前記家具本体の転倒を防止する耐震装置とを具備し、前記家具本体の開口部を開閉する扉を、家具本体の上面部より上方に大きく形成して、該扉により、前記耐震装置並びに前記家具本体の上面部と家屋の家具置き場の天井部との間のスペースを前方より覆い隠すようにしたことを特徴とする（請求項１の発明）。
【０００７】
本発明の耐震装置付き家具は、第２に、前面に開口部を有する家具本体と、この家具本体の側部の上下両端部から側方へ設けられ、先端部が家屋の家具置き場の側壁面又は他の家具の側面部に圧接して前記家具本体の転倒を防止する耐震装置とを具備し、前記家具本体の開口部を開閉する扉を、家具本体の側面部より側方に大きく形成して、該扉により、前記耐震装置並びに前記家具本体の側面部と家屋の家具置き場の側壁面又は他の家具の側面部との間のスペースを前方より覆い隠すようにしたことを特徴とする（請求項２の発明）。
【発明の効果】
【０００８】
上記第１の手段（請求項１の発明）によれば、家具本体の上方に位置する耐震装置、並びに家具本体の上面部と家屋の家具置き場の天井部との間のスペースが、扉の、家具本体の上面部より上方に大きく形成した部分で隠されて見えず、体裁を良くすることができる。又、それを家具の本来の構成である扉を使用して達成できると共に、扉の開け閉めにより、家具本体の上面部から家屋の家具置き場の天井部までのスペースを別の収納スペースとして使用するのに都合良くできる。
【０００９】
第２の手段（請求項２の発明）によれば、家具本体の側方に位置する耐震装置、並びに家具本体の側面部と家屋の家具置き場の側壁面又は他の家具の側面部との間のスペースが、扉の、家具本体の側面部より側方に大きく形成した部分で隠されて見えず、体裁を良くすることができる。又、それを家具の本来の構成である扉を使用して達成できると共に、扉の開け閉めにより、家具本体の側面部から家屋の家具置き場の側壁面又は他の家具の側面部までのスペースを別の収納スペースとして使用するのに都合良くできる。
【発明を実施するための最良の形態】
【００１０】
以下、本発明の第１実施例（第１の実施形態）につき、図１ないし図４を参照して説明する。
まず、図１には、家屋の家具置き場１を示しており、床面２と、側壁面３、及び天井部４で囲まれている。この家具置き場１には、家具本体５を収納配置しており、この家具本体５の上面部５ａと家具置き場１の天井部４との間には、スペースＳ1が余されている。
家具本体５は、この場合、下部収納部６と上部収納部７とを有しており、前面にそれら両収納部６，７にそれぞれ収納する収納品（図示省略）の出し入れに供する開口部８，９を有している。
【００１１】
又、家具本体５には、上記開口部８，９を個々に開閉する扉１０，１１を有しており、これらの扉１０，１１は、この場合、それぞれ左右の両側縁部に蝶番（図示省略）があって、図２に示すように観音開き式に開放されるようになっており、その開閉のための手掛部を、図１に示すように、扉１０は前面の下辺部に手掛部１２で有し、扉１１は前面の上辺部に手掛部１３で有している。
そして、扉１１は、家具本体５の上面部５ａより上方に寸法Ａ以上に大きく形成している。又、この場合、家具本体５及び扉１０，１１は、例えば既製品で、いずれも木材製であり、特に扉１１は、その上辺部を収納現場にて切削可能としている。
【００１２】
一方、家具本体５の上部には、耐震装置１４を設けるようにしている。この耐震装置１４は、この場合、図３及び図４に示すように、２本のねじ棒１５と、この２本のねじ棒１５にそれぞれ遊嵌したワッシャ１６、２本のねじ棒１５にそれぞれ螺合したナット１７、２本のねじ棒１５の上端部にそれぞれ進退不能で揺動可能に取付けた支持金具１８、両支持金具１８を介してねじ１８ａにより２本のねじ棒１５の上端部間に架設した一枚の当て板１９から成っており、当て板１９の大きさは家具本体５の上面部５ａとほゞ同等としている。
【００１３】
これに対して、家具本体５の上部の左右両端部には、耐震装置取付け用の穴２０を形成しており、この穴２０に上記耐震装置１４のねじ棒１５をそれぞれ挿入するようにしている。なお、前記ナット１７の外径はワッシャ１６の外径より小さいが、ワッシャ１６の外径は穴２０の直径より大きくしている。
【００１４】
次に、上記構成のものの用法について述べる。
家具本体５を設置するに際し、図３及び図４に示すように、穴２０に耐震装置１４のねじ棒１５をそれぞれ挿入し、ねじ棒１５にあらかじめ遊嵌したワッシャ１６を穴２０の上に載置した上で、ナット１７をねじ棒１５に沿って螺退するように回す。すると、ねじ棒１５が下降し、当て板１９の高さ位置が低まるので、このようにして当て板１９の高さ位置が家具置き場１の天井部４の位置より低くなるようにセットする。
【００１５】
次いで、家具本体５を家具置き場１に収納し、その後、ナット１７をねじ棒１５に沿って上述とは反対に螺進するように回す。すると、ねじ棒１５が上昇し、当て板１９の高さ位置が高まるので、このようにして耐震装置１４の先端部である当て板１９を家具置き場１の天井部４に圧接させる。かくして、家具本体５の転倒が防止される状態となる。
この後、扉１０を家具本体５に取付け、扉１１はその上辺部が家具置き場１の天井部４とほゞ同等の位置となるように切削（寸法調整）した上で、家具本体５に取付ける。なお、扉１０はあらかじめ家具本体５に取付けていても良い。
【００１６】
図１は、このようにして家具本体５を設置し、扉１０，１１を取付けた状態を示したものであり、家具本体５の上方に位置する耐震装置１４、並びに家具本体５の上面部５ａと家屋の家具置き場１の天井部４との間のスペースＳ1が、扉１１の、家具本体５の上面部５ａより上方に大きく形成した部分１１ａで隠されて見えず、かくして、体裁を良くすることができる。
【００１７】
又、それを家具の本来の構成である扉１１を使用して達成できるものであり、別途特別の部品を必要としない。
しかも、扉１１の開け閉めにより、家具本体５の上面部５ａから家屋の家具置き場１の天井部４までのスペースＳ1を別の収納品を収納して出し入れする別の収納スペースとして使用するのに都合良くできる。
【００１８】
以上に対して、図５ないし図１５は本発明の第２ないし第８実施例（第２ないし第８の実施形態）を示すもので、それぞれ、第１実施例と同一の部分には同一の符号を付して説明を省略し、異なる部分についてのみ述べる。
［第２実施例］
図５に示す第２実施例においては、カバー２１を設けており、このカバー２１は、矩形板状を成すカバー主体２１ａの長手方向の両端部の一面側にそれぞれ四角柱状のカバー補助体２１ｂを結合して構成したものである。
【００１９】
用法は、家具本体５の上面部５ａと家屋の家具置き場１の天井部４との間のスペースＳ1の高さ寸法に合わせて２つのカバー２１の縦寸法を切削により調整し、その上で、その２つのカバー２１を、家具本体５の上面部５ａと家屋の家具置き場１の天井部４との間のスペースＳ1の左右両端部に、相反する向き（カバー補助体２１ｂがそれぞれ外側となる向き）に配置して、それぞれ、カバー主体２１ａとカバー補助体２１ｂとにより耐震装置１４の主としてねじ棒１５を内側から囲う形態となす。
【００２０】
このようにすることにより、家具本体５の上面部５ａから家屋の家具置き場１の天井部４までのスペースＳ1を別の収納スペースとして使用する際の、耐震装置１４の主としてねじ棒１５による収納品の引掛かりや傷付きを、カバー２１で回避できるようになる。
【００２１】
［第３実施例］
図６に示す第３実施例においては、カバー３１を設けており、このカバー３１は軸方向に切れ目３１ａを施した例えばプラスチック製の円筒パイプから成っている。
用法は、家具本体５の上面部５ａと家屋の家具置き場１の天井部４との間のスペースＳ1の高さ寸法に合わせて２つのカバー３１の縦寸法を切削により調整し、その上で、その２つのカバー３１をそれぞれ切れ目３１ａから弾性的に開いて耐震装置１４のねじ棒１５に装着する。
このようにしても、上記第２実施例同様の作用効果を得ることができる。
【００２２】
［第４実施例］
図７に示す第４実施例においては、カバー４１を設けており、このカバー４１は、第１の円筒パイプ４１ａと、これより径の一回り小さな第２の円筒パイプ４１ｂとを同軸状に組合わせて構成したものである。
【００２３】
用法は、家具本体５の上面部５ａと家屋の家具置き場１の天井部４との間のスペースＳ1の高さ寸法に合わせて２つのカバー４１の縦寸法を、第１の円筒パイプ４１ａに対する第２の円筒パイプ４１ｂのスライド、又は第２の円筒パイプ４１ｂに対する第１の円筒パイプ４１ａのスライドにより調整し、その上で、前記家具本体５の穴２０に挿入する前の耐震装置１４のねじ棒１５に外嵌めして装着する。
このようにしても、上記第２実施例同様の作用効果を得ることができる。
【００２４】
［第５実施例］
図８及び図９に示す第５実施例においては、家屋の家具置き場５１が、床面５２と、一方（左側）の側壁面５３、天井部５４、及び他方（右側）の側壁面５５で囲まれており、この家具置き場５１に家具本体５６を収納配置している。なお、この場合、家具置き場５１の一方の側壁面５３は、そこに例えば複数のボルト５７によって取付けた支持板５８にて構成している。
又、この場合、家具本体５６と家具置き場５１との間のスペースＳ2は、家具本体５６の、図で左側の側面部５６ａと家具置き場５１の上記一方の側壁面５３との間に余されている。
【００２５】
家具本体５６は、内部の全部を１つの収納部５９としており、前面にその収納部５９に収納する収納品（これも図示省略）の出し入れに供する開口部６０を有している。家具本体５６は又、上記開口部６０を開閉する扉６１，６２を有しており、これらの扉６１，６２は、この場合も、それぞれ左右の両側縁部に蝶番（図示省略）があって、図９に示すように観音開き式に開放されるようになっており、その開閉のための手掛部を、図８に示すように、扉６１は前面の自由端部である左側縁部に手掛部６３で有し、扉６２は前面の同じく自由端部である右側縁部に手掛部６４で有している。
【００２６】
そして、扉６２は、家具本体５６の側面部５６ａより側方（この場合、左側方）に寸法Ｂ以上に大きく形成しており、その側縁部（この場合、左側縁部）６２ａと前記支持板５８との間に、前記蝶番を取付けるようにしている。更に、この場合も、家具本体５６及び扉６１，６２は、例えば既製品で、いずれも木材製であり、特に扉６２は、その左側縁部を収納現場にて切削可能としている。
【００２７】
耐震装置１４は、当て板６５の大きさが家具本体５６の側面部５６ａとほゞ同等で、前述の当て板１９より大きいこと以外は前述と同様であり、家具本体５６の側部（この場合、左側部）の上下両端部に形成した耐震装置取付け用の穴６６に耐震装置１４のねじ棒１５をそれぞれ挿入し、後は前述同様にナット１７をねじ棒１５に沿って螺退するように回す。すると、ねじ棒１５が家具本体５６に没入し、当て板６５が家具本体５６側に移動するので、このようにして当て板６５の位置が家具置き場５１の一方の側壁面５３までの位置より家具本体５６側となるようにセットする。
【００２８】
次いで、家具本体５６を家具置き場５１に収納し、その後、ナット１７をねじ棒１５に沿って上述とは反対に螺進するように回す。すると、ねじ棒１５が突出し、当て板６５を家具置き場５１の上記一方の側壁面５３に圧接させる。かくして、家具本体５６の転倒が防止される状態となる。
【００２９】
この後、扉６１を家具本体５６に取付け、扉６２は左側縁部６２ａが家具置き場５１の一方の側壁面５３とほゞ同等の位置となるように切削（寸法調整）した上で、支持板５８に取付ける。なお、この場合も、扉６１はあらかじめ家具本体５６に取付けていても良い。又、第２ないし第４実施例のカバー２１，３１，４１のいずれかを使用するようにしても良い。
【００３０】
図８は、このようにして家具本体５６を設置し、扉６１，６２を取付けた状態を示したものであり、家具本体５６の側方に位置する耐震装置１４、並びに家具本体５６の側面部５６ａと家屋の家具置き場５１の側壁面５３との間のスペースＳ2が、扉６２の、家具本体５６の側面部５６ａより側方に大きく形成した部分６２ｂで隠されて見えず、かくして、体裁を良くすることができる。
【００３１】
又、それを家具の本来の構成である扉６２を使用して達成できるものであり、別途特別の部品を必要としない。
しかも、扉６２の開け閉めにより、家具本体５６の側面部５６ａから家屋の家具置き場５１の側壁面５３までのスペースＳ2を別の収納品を収納して出し入れする別の収納スペースとして使用するのに都合良くできる。
【００３２】
［第６実施例］
図１０及び図１１に示す第６実施例においては、家屋の家具置き場７１が、上記第５実施例の家具置き場５１より横方向に大きく、但し、その家具置き場５１と同様に、床面７２と、一方の側壁面７３、天井部７４、及び他方の側壁面７５で囲まれている。この家具置き場７１に、家具本体７６を他の家具７７と並べて収納配置している。なお、この場合、他の家具７７と家具置き場７１の他方の側壁面７５は例えば複数のボルト７８によって連結している。
【００３３】
家具本体７６は、内部の全部を１つの収納部７９としており、前面にその収納部７９に収納する収納品（これも図示省略）の出し入れに供する開口部８０を有している。家具本体７６は又、上記開口部８０を開閉する扉８１を有しており、この扉８１は、この場合、右側縁部（家具本体７６の開口部８０の右側縁部）８１ａに蝶番（図示省略）があって、図１１に示すように片開き式に開放されるようになっており、その開閉のための手掛部を、図８に示すように、前面の自由端部である左側縁部に手掛部８２で有している。
【００３４】
そして、扉８１は、家具本体７６の側面部７６ａより側方（この場合も、左側方）に寸法Ｂ以上に大きく形成しており、更に、家具本体７６及び扉８１は、例えば既製品で、いずれも木材製であり、特に扉８１は、その左側縁部を収納現場にて切削可能としている。
耐震装置１４は、上記第５実施例のものと同様であり、家具本体７６の側部（この場合、左側部）の上下両端部に形成した耐震装置取付け用の穴８３に耐震装置１４のねじ棒１５をそれぞれ挿入し、後は第５実施例同様にして設置する。
【００３５】
図１０は、このようにして家具本体７６を設置し、扉８１を取付けた状態を示したものであり、扉８１の開き方向が異なる以外、第５実施例と同様にて、それと同様の作用効果を得ることができる。
なお、この場合、扉８１は、第５実施例の扉６２と同様の構成として、それと同様に前記支持板５８に取付けるようにしても良い。又、第２ないし第４実施例のカバー２１，３１，４１のいずれかを使用するようにしても良い。
【００３６】
［第７実施例］
図１２及び図１３に示す第７実施例においては、上記第６実施例のものにおいて、家具置き場７１に、家具本体７６を他の家具７７からスペースＳ2だけ離間させて設置し、耐震装置１４を家具本体７６から他の家具７７にかけて設けている。従って、この場合、耐震装置１４の先端部である当て板６５は他の家具７７の側面部７７ａに圧接して家具本体７６の転倒を防止するようになっており、そのほかは、第６実施例同様の作用効果を得ることができる。
なお、この場合も、第２ないし第４実施例のカバー２１，３１，４１のいずれかを使用するようにしても良い。
【００３７】
［第８実施例］
図１４及び図１５に示す第８実施例においては、家屋の家具置き場９１が、上記第６実施例の家具置き場７１より更に縦方向（第５実施例の家具置き場５１より横、縦両方向）にも大きくて、床面９２と、一方の側壁面９３、天井部９４、及び他方の側壁面９５で囲まれている。この家具置き場９１に、第５実施例の家具本体５６と第６実施例の家具本体７６とを並べて収納配置している。
【００３８】
従って、この場合には、家具本体５６の上面部５６ｂと家具置き場９１の天井部９４との間にスペースＳ1が余され、家具本体７６の側面部７６ａと家具置き場９１の側壁面９５との間にスペースＳ2が余され、そのほか、家具本体７６の上面部７６ｂと家具置き場９１の天井部９４との間にもスペースＳ1が余されている。
【００３９】
しかして、家具本体５６の開口部６０を開閉する扉９６，９７は、左右の両側縁部に蝶番（図示省略）があって、図１５に示すように観音開き式に開放されるようになっており、その開閉のための手掛部を、図１４に示すように、扉９６は前面の自由端部である左側縁部に手掛部９８で有し、扉９７は前面の同じく自由端部である右側縁部に手掛部９９で有している。
そして、扉９６，９７は、家具本体５６の上面部５６ｂより上方に寸法Ａ以上に大きく形成している。又、この場合、扉９６，９７は、例えば既製品で、いずれも木材製であり、ともに上辺部を収納現場にて切削可能としている。
【００４０】
一方、家具本体７６の開口部８０を開閉する扉１００は、第６実施例の扉８１と同様に、右側縁部に蝶番（図示省略）があって、図１５に示すように片開き式に開放されるようになっており、その開閉のための手掛部を、図１４に示すように、前面の自由端部である左側縁部に手掛部１０１で有するが、第６実施例の扉８１より上方に大きく（家具本体７６の上面部５６ｂより上方に寸法Ａ以上に大きく）形成している。又、この扉１００も、例えば既製品で、木材製であり、左側縁部と上辺部とを収納現場にて切削可能としている。
耐震装置１４は、家具本体５６に対するものが前記第１実施例のものと同様で、家具本体７６に対するものが第５、第６実施例のものと同様であり、従って、それらと同様にして家具本体５６，７６を設置する。
【００４１】
図１４は、このようにして家具本体５６，７６を設置し、そして、扉９６，９７，１００を取付けた状態を示したものであり、第１実施例と第５実施例とを併合した、すなわち、家具本体５６，７６の上面部５６ｂ，７６ｂと家屋の家具置き場９１の天井部９４との間のスペースＳ1を、扉９６，９７，１００の、それぞれ家具本体５６，７６の上面部５６ｂ，７６ｂより上方に大きく形成した部分９６ａ，９７ａ，１００ａで覆い隠し、家具本体７６の側面部７６ａと家屋の家具置き場９１の側壁面９３との間のスペースＳ2を、扉１００の家具本体７６の側面部７６ａより側方に大きく形成した部分１００ｂで覆い隠すことによる作用効果を得ることができる。
【００４２】
なお、この場合も、扉１００は、第５実施例の扉６２と同様の構成として、それと同様に前記支持板５８に取付けるようにしても良い。又、第２ないし第４実施例のカバー２１，３１，４１のいずれかを使用するようにしても良い。
そのほか、本発明は上記し且つ図面に示した実施例にのみ限定されるものではなく、特に、すべての家具本体は具体的な構造が上記実施例のものに限られず、扉も引出しの前面に取付けられて開閉されるものとしても良いないなど、要旨を逸脱しない範囲内で適宜変更して実施し得る。
【図面の簡単な説明】
【００４３】
【図１】本発明の第１実施例を示す全体の正面図
【図２】全体の横断面図
【図３】耐震装置部分の斜視図
【図４】家具本体から耐震装置にかけての斜視図
【図５】本発明の第２実施例を示すカバー単体の斜視図
【図６】本発明の第３実施例を示すカバー単体の斜視図
【図７】本発明の第４実施例を示すカバー単体の斜視図
【図８】本発明の第５実施例を示す図１相当図
【図９】図２相当図
【図１０】本発明の第６実施例を示す図１相当図
【図１１】図２相当図
【図１２】本発明の第７実施例を示す図１相当図
【図１３】図２相当図
【図１４】本発明の第８実施例を示す図１相当図
【図１５】図２相当図
【符号の説明】
【００４４】
図面中、１は家具置き場、４は天井部、５は家具本体、９は開口部、１１は扉、１４は耐震装置、Ｓ1はスペース、５１は家具置き場、５３は側壁面、５６は家具本体、６０は開口部、６２は扉、Ｓ2はスペース、７１は家具置き場、７３は側壁面、７６は家具本体、７７ａは他の家具の側面部、８０は開口部、８１は扉、９１は家具置き場、９３は側壁面、９４は天井部、９６，９７，１００は扉を示す。
【図１】
2008110019.tif 000003
【図２】
2008110019.tif 000004
【図３】
2008110019.tif 000005
【図４】
2008110019.tif 000006
【図５】
2008110019.tif 000007
【図６】
2008110019.tif 000008
【図７】
2008110019.tif 000009
【図８】
2008110019.tif 000010
【図９】
2008110019.tif 000011
【図１０】
2008110019.tif 000012
【図１１】
2008110019.tif 000013
【図１２】
2008110019.tif 000014
【図１３】
2008110019.tif 000015
【図１４】
2008110019.tif 000016
【図１５】
2008110019.tif 000017